(57)【要約】      （修正有）【課題】より強固に閉封状態を維持することのできる包装用容器を提供する。【解決手段】開口部１５を有する容器本体と、開口部１５の第１口縁部に連設され、閉封状態において開口部１５を閉塞し、開封状態において開口部１５を開放する蓋部１７と、蓋部１７に設けられ、蓋部１７を閉封状態から開封状態に回動方向させる方向に向けて切り起こされた係止片２３と、閉封状態において係止片２３と係合する被係止部５５と、を備える。【選択図】図２
0003182100.tif 000002
【実用新案登録請求の範囲】
【請求項１】
開口部を有する容器本体と、
前記開口部の第１口縁部に連設され、閉封状態において前記開口部を閉塞し、開封状態において前記開口部を開放する蓋部と、
前記蓋部に設けられ、前記蓋部を閉封状態から開封状態に回動方向させる方向に向けて切り起こされた係止片と、
閉封状態において前記係止片と係合する被係止部と、
を備えたことを特徴とする包装用容器。
【請求項２】
請求項１に記載の包装用容器であって、
前記蓋部は、前記開口部を閉塞する閉塞板と、前記閉塞板の自由端縁に第１折目線を介して連設される差込板とを有し、
前記係止片は、前記第１折目線上又は前記差込板を始点及び終点として前記閉塞板側へ突出する第１切線によって形成される、ことを特徴とする包装用容器。
【請求項３】
請求項１又は２に記載の包装用容器であって、
前記第１口縁部と対向する第２口縁部に、閉封状態において前記容器本体に対して起立させる部分及び／又は前記容器本体の内面に重ねられる部分を有する補助板が連設され、
前記被係止部は、前記補助板に設けられている、ことを特徴とする包装用容器。
【請求項４】
請求項３に記載の包装用容器であって、
前記補助板は、閉封状態において前記容器本体の内面に重ねられる、ことを特徴とする包装用容器。
【請求項５】
請求項３に記載の包装用容器であって、
前記補助板は、補助前面板と補助背面板とを有し、閉封状態において前記補助背面板は前記容器本体に対して起立させた状態とし、前記補助前面板は前記補助背面板と重ねられる、ことを特徴とする包装用容器。
【請求項６】
請求項３に記載の包装用容器であって、
前記補助板は、補助前面板と補助背面板と端板とを有し、閉封状態において前記補助背面板は前記容器本体に対して起立した状態とされ、前記補助前面板は前記補助背面板と重ねられ、前記端板は前記容器本体の内面に重ねられる、ことを特徴とする包装用容器。
【請求項７】
請求項１から６のいずれか１項に記載の包装用容器であって、
前記被係止部は、閉封状態において前記蓋部の前記係止片に対応する位置に、前記容器本体の底部側へ突出する第２切線によって形成される、ことを特徴とする包装用容器。
【請求項８】
請求項１から６のいずれか１項に記載の包装用容器であって、
前記被係止部は、閉封状態において前記係止片に対応する位置に、前記容器本体の底部側の自由端に至る第３切線によって形成される、ことを特徴とする包装用容器。
【請求項９】
請求項３から６のいずれか１項に記載の包装用容器であって、
前記被係止部は、前記補助板から前記容器本体の底部側に突出して設けられる、ことを特徴とする包装用容器。
【請求項１０】
請求項１から９のいずれか１項に記載の包装用容器であって、
前記容器本体は、前記第１口縁部の両端に隣接する第３口縁部に折込板が連設され、
前記折込板は、前記第３口縁部の近傍であって、前記第１口縁部側の端縁に突条片を有し、
前記蓋部は、閉封状態において前記突条片に対応する位置に、前記蓋部の側端縁を始点とし、前記蓋部の自由端側に突出する鉤状切線を有している、ことを特徴とする包装用容器。
【請求項１１】
請求項３から６及び９のいずれか１項に記載の包装用容器であって、
前記容器本体は、前記第１口縁部の両端に隣接する第３口縁部に折込板が連設され、
前記折込板は、前記第３口縁部の近傍であって、前記第１口縁部側の端縁に突条片を有し、
前記蓋部は、閉封状態において前記突条片に対応する位置に、前記蓋部の側端縁を始点とし、前記蓋部の自由端側に突出する鉤状切線を有し、
前記補助板は、開口部の閉塞状態において鉤状切線と相対する位置に第４切線を有する、ことを特徴とする包装用容器。
【請求項１２】
請求項１から１１のいずれか１項に記載の包装用容器であって、
前記係止片の近傍及び／又は前記被係止部の近傍を始点とする第１破断線を有する、ことを特徴とする包装用容器。
【請求項１３】
請求項１２に記載の包装用容器であって、
前記第１破断線は、前記係止片から前記鉤状切線の終点まで形成されている、ことを特徴とする包装用容器。
【請求項１４】
請求項１から１３のいずれか１項に記載の包装用容器であって、
開口用の第２破断線を有する、ことを特徴とする包装用容器。
【考案の詳細な説明】
【技術分野】
【０００１】
本考案は、包装用容器に関する。より詳細には、不正開封や内容物の改竄を防止する機能を備えた包装用容器に関する。
【背景技術】
【０００２】
従来、商品等の包装用容器として、容器本体の開口部の口縁部に、蓋部が連設された包装用容器が知られている。この蓋部が簡単に開いてしまうと、包装用容器に収容された商品が不用意にこぼれ出たり、展示中等の商品が包装用容器から不正に取り出されてしまう場合がある。また、不正に包装用容器が開封されて内部に異物が混入され、再び元通りに閉封された場合には、これに気付かず購入した者が被害を被る場合もある。このため、従来より、蓋部に係止片を設け、係止片を容器本体に係止させることにより蓋部を開きにくくした包装用容器が知られている（例えば、特許文献１参照）。
【先行技術文献】
【特許文献】
【０００３】
【特許文献１】特開２００７―７６６８４号公報
【考案の概要】
【考案が解決しようとする課題】
【０００４】
しかしながら、特許文献１の包装用容器では、蓋部の係止片は、蓋部を開封する方向に回動させると係止片が容器本体に対して抜け易い方向に向けて形成されている。このため、包装用容器の閉封状態を強固に維持できるものではない。
【０００５】
本考案は前記課題に鑑みてなされたものである。本考案の目的は、より強固に閉封状態を維持することのできる包装用容器を提供することである。
【課題を解決するための手段】
【０００６】
本考案の解決しようとする課題は以上の如くであり、次にこの課題を解決するための手段を説明する。
【０００７】
即ち、第１の考案では、開口部を有する容器本体と、
前記開口部の第１口縁部に連設され、閉封状態において前記開口部を閉塞し、開封状態において前記開口部を開放する蓋部と、
前記蓋部に設けられ、前記蓋部を閉封状態から開封状態に回動方向させる方向に向けて切り起こされた係止片と、
閉封状態において前記係止片と係合する被係止部と、
を備えたことを特徴とする包装用容器とする。
【０００８】
第２の考案では、第１の考案であって、
前記蓋部は、前記開口部を閉塞する閉塞板と、前記閉塞板の自由端縁に第１折目線を介して連設される差込板とを有し、
前記係止片は、前記第１折目線上又は前記差込板を始点及び終点として前記閉塞板側へ突出する第１切線によって形成される、ことを特徴とする包装用容器とする。
【０００９】
第３の考案では、第１又は第２の考案であって、
前記第１口縁部と対向する第２口縁部に、閉封状態において前記容器本体に対して起立させる部分及び／又は前記容器本体の内面に重ねられる部分を有する補助板が連設され、
前記被係止部は、前記補助板に設けられている、ことを特徴とする包装用容器とする。
【００１０】
第４の考案では、第３の考案であって、
前記補助板は、閉封状態において前記容器本体の内面に重ねられる、ことを特徴とする包装用容器とする。
【００１１】
第５の考案では、第３の考案であって、
前記補助板は、補助前面板と補助背面板とを有し、閉封状態において前記補助背面板は前記容器本体に対して起立させた状態とし、前記補助前面板は前記補助背面板と重ねられる、ことを特徴とする包装用容器とする。
【００１２】
第６の考案では、第３の考案であって、
前記補助板は、補助前面板と補助背面板と端板とを有し、閉封状態において前記補助背面板は前記容器本体に対して起立した状態とされ、前記補助前面板は前記補助背面板と重ねられ、前記端板は前記容器本体の内面に重ねられる、ことを特徴とする包装用容器とする。
【００１３】
第７の考案では、第１から第６のいずれかの考案であって、
前記被係止部は、閉封状態において前記蓋部の前記係止片に対応する位置に、前記容器本体の底部側へ突出する第２切線によって形成される、ことを特徴とする包装用容器とする。
【００１４】
第８の考案では、第１から第６のいずれかの考案であって、
前記被係止部は、閉封状態において前記係止片に対応する位置に、前記容器本体の底部側の自由端に至る第３切線によって形成される、ことを特徴とする包装用容器とする。
【００１５】
第９の考案では、第３から第６のいずれかの考案であって、
前記被係止部は、前記補助板から前記容器本体の底部側に突出して設けられる、ことを特徴とする包装用容器とする。
【００１６】
第１０の考案では、第１から第９のいずれかの考案であって、
前記容器本体は、前記第１口縁部の両端に隣接する第３口縁部に折込板が連設され、
前記折込板は、前記第３口縁部の近傍であって、前記第１口縁部側の端縁に突条片を有し、
前記蓋部は、閉封状態において前記突条片に対応する位置に、前記蓋部の側端縁を始点とし、前記蓋部の自由端側に突出する鉤状切線を有している、ことを特徴とする包装用容器とする。
【００１７】
第１１の考案では、第３から第６及び第９のいずれかの考案であって、
前記容器本体は、前記第１口縁部の両端に隣接する第３口縁部に折込板が連設され、
前記折込板は、前記第３口縁部の近傍であって、前記第１口縁部側の端縁に突条片を有し、
前記蓋部は、閉封状態において前記突条片に対応する位置に、前記蓋部の側端縁を始点とし、前記蓋部の自由端側に突出する鉤状切線を有し、
前記補助板は、開口部の閉塞状態において鉤状切線と相対する位置に第４切線を有する、ことを特徴とする包装用容器とする。
【００１８】
第１２の考案では、第１から第１１のいずれかの考案であって、
前記係止片の近傍及び／又は前記被係止部の近傍を始点とする第１破断線を有する、ことを特徴とする包装用容器とする。
【００１９】
第１３の考案では、第１２の考案であって、
前記第１破断線は、前記係止片から前記鉤状切線の終点まで形成されている、ことを特徴とする包装用容器とする。
【００２０】
第１４の考案では、第１から第１３のいずれかの考案であって、
開口用の第２破断線を有する、ことを特徴とする包装用容器とする。
【考案の効果】
【００２１】
本考案によれば、蓋部を閉封状態から開封状態に回動させる場合に、係止片が被係止部から外れにくく、強固に閉封状態を維持することができる。
【図面の簡単な説明】
【００２２】
【図１】本考案の実施形態に係る包装用容器１１の展開形成体１３の平面図。
【図２】容器本体１４を組み立てた状態の斜視図。
【図３】閉封状態の包装用容器１１の斜視図。
【図４】他の例の包装用容器１１の斜視図。
【図５】他の例の包装用容器１１の斜視図。
【図６】他の例の包装用容器１１の斜視図。
【図７】他の例の包装用容器１１の斜視図。
【図８】他の例の包装用容器１１の斜視図。
【考案を実施するための形態】
【００２３】
次に、考案の実施の形態について図１から図８を用いて説明する。
【００２４】
本実施形態に係る包装用容器１１は、図１に示す展開形成体１３を組み立てて形成されるものであり、食品や医薬品等を収容する包装用容器である。包装用容器１１は、板紙、段ボールなどの厚紙で形成されている。厚紙の他、樹脂素材を用いた板状部材等で形成してもよい。
【００２５】
図１、図２に示すように、包装用容器１１は、容器本体１４の一方に開口部１５を有し、他方に底部１６を有する。開口部１５には蓋部１７が連設される。包装用容器１１の組み立てが完了し、蓋部１７で開口部１５を閉塞した状態を閉封状態とし、蓋部１７を開いて開口部１５を開放した状態を開封状態とする。また、本実施形態では、容器本体１４に対して起立させた補助板１８を有する。
【００２６】
以下では、説明の容易のため、開口部１５が形成されている側を上側とし、底部１６が形成されている側を下側とする。図１の図示上側、図２の図示上側をそれぞれ上側とし、その反対側を下側とする。また、容器本体１４を組み立てた状態で蓋部１７が連設されている側を前側、その反対側を後側とする。尚、本実施例の包装用容器１１の水平方向の断面形状は長方形であるが、正方形や他の多角形状であってもよい。
【００２７】
図１に示す展開形成体１３に沿って包装用容器１１を構成する部分を説明する。図１は、包装用容器１１の外側となる面を紙面手前側として示している。まず容器本体１４の側部を構成するのは、主として第１側板３１、第２側板３２、第３側板３３及び第４側板３４である。第１側板３１は、容器本体１４の前部を構成する。第２側板３２は、容器本体１４の後部を構成する。第３側板３３は、容器本体１４の左側部を構成する。第４側板３４は、容器本体１４の右側部を構成する。第１側板３１の左側となる縁部（図示左側の縁部）には、第３側板３３が側板折目線６１を介して連設されている。第１側板３１の右側となる縁部（図示右側の縁部）には、第４側板３４が側板折目線６２を介して連設されている。第３側部３３には、第２側板３２が側板折目線６３を介して連設されている。第２側板３２には、取付面３５が取付面折目線６４を介して連設されている。容器本体１４の側部には、容器本体１４を開口するための第２破断線９２が第１側板３１、第２側板３２、第３側板３３及び第４側板３４を横切るように形成されている。
【００２８】
図１、図２に示すように、容器本体１４の開口部１５は、第１側板３１、第２側板３２、第３側板３３及び第４側板３４の上側の縁部で構成される。第１側板３１の上側の縁部は、開口部１５の第１口縁部を構成する。第１側板３１の上側の縁部には、蓋部１７が連設される。蓋部１７については後述する。第２側板３２の上側の縁部は、開口部１５の第２口縁部を構成する。第２側板３２の上側の縁部には、補助板１８が連設される。補助板１８については後述する。第３側板３３の上側の縁部、及び第４側板３４の上側の縁部は、開口部１５の第３口縁部を構成する。第３側板３３の上側の縁部には、折込板３６が折込板折目線６５を介して連設されている。第４側板３４の上側の縁部には、折込板３７が折込板折目線６６を介して連設されている。折込板３６及び折込板３７は、第３口縁部の近傍であって、第１口縁部側の端縁に突条片３８を有する。
【００２９】
容器本体１４の底部１６は、主として第１底板４１、第２底板４２、第３底板４３及び第４底板４４で構成されている。第１底板４１は、第１側板３１に底板折目線８１を介して連設されている。第２底板４２は、第２側板３２に底板折目線８２を介して連設されている。第３底板４３は、第３側板３３に底板折目線８３を介して連設されている。第４底板４４は、第４側板３４に底板折目線８４を介して連設されている。容器本体１４を筒状にし、第１底板４１、第２底板４２、第３底板４３及び第４底板４４を組み合わせることで底部１６を構成する。
【００３０】
蓋部１７は、閉封状態において開口部１５を閉塞し、開封状態において開口部１５を開放する部分である。蓋部１７は、主として閉塞板２１及び差込板２２で構成されている。閉塞板２１は、閉封状態において開口部１５を閉塞する部分である。閉塞板２１は、第１側板３１の上側の縁部に閉塞板折目線６７を介して連設されている。差込板２２は、閉塞板２１の自由端縁に第１折目線としての差込板折目線６８を介して連設されている。差込板２２は、開口部１５を閉塞板２１で閉塞した状態において、容器本体１４の内側に差し込む部分である。
【００３１】
蓋部１７には、係止片２３が形成されている。係止片２３は、後述する被係止部５５と係合して包装用容器１１の閉封状態を維持する部分である。係止片２３は、蓋部１７を閉封状態から開封状態に回動方向させる方向に向けて切り起こされた舌状片である。本実施例では、係止片２３は、第１折目線としての差込板折目線６８上を始点及び終点として閉塞板２１側へ突出する第１切線６９によって形成される。尚、第１切線６９は、第１折目線としての差込板折目線６８上を始点及び終点とせず、差込板２２上を始点及び終点としてもよい。
【００３２】
蓋部１７は、閉封状態において折込板３６及び折込板３７の突条片３８に対応する位置に（図３参照）、蓋部１７の側端縁を始点とし、蓋部１７の自由端側に突出する鉤状切線７１を形成している。また、係止片２３の両端から各鉤状切線７１の終点まで差込板折目線６８上に第１破断線９１が形成されている。
【００３３】
補助板１８は、第１口縁部と対向する第２口縁部に、閉封状態において容器本体１４に対して起立させる部分である。補助板１８は、主として補助背面板５１、補助前面板５２及び端板５３で構成されている。補助背面板５１は、第２側板３２に折目線を介さずに連設される。補助背面板５１には、補助前面板折目線７３を介して補助前面板５２が連設される。補助前面板５２には、端板折目線７４を介して端板５３が連設される。補助背面板５１と補助前面板５２には、補助前面板折目線７３に対して線対称の位置に取付孔５４が形成される。閉封状態において補助背面板５１は容器本体１４に対して起立した状態とされる。
【００３４】
被係止部５５は、閉封状態において係止片２３と係合する部分である。被係止部５５は、閉封状態において蓋部１７の係止片２３に対応する位置に、容器本体１４の底部１６側へ突出する第２切線７５によって形成される。補助板１８は、開口部１５の閉塞状態において鉤状切線７１と相対する位置（図３参照）に第４切線７７を有する。
【００３５】
次に、包装用容器１１を組み立てる場合について説明する。図２、図３に示すように、第１側板３１、第２側板３２、第３側板３３、第４側板３４及び取付面３５は、側板折目線６１、側板折目線６２、側板折目線６３及び取付面折目線６４で山折りして容器本体１４の側部を筒状に折り曲げ、取付面３５を第４側板３４に固定して容器本体１４を筒状に固定する。底部１６は、第１底板４１、第２底板４２、第３底板４３及び第４底板４４を組み合わせることで構成する。補助板１８の補助前面板５２は、補助前面板折目線７３で折り返して補助背面板５１と重ね、端板５３を容器本体１４の内面に重ねた状態とする。
【００３６】
続いて、包装用容器１１を閉封状態とする場合には、折込板３６及び折込板３７を容器本体１４の開口部１５まで折り曲げる。蓋部１７は、差込板２２を第１折目線としての差込板折目線６８で山折りする。閉塞板２１で開口部１５を閉塞し、差込板２２を容器本体１４の内側に差し込むことで、包装用容器１１は閉封状態とされる。
【００３７】
閉封状態においては、蓋部１７の係止片２３と補助板１８の被係止部５５とが係合して包装用容器１１の閉封状態を維持される。また、閉封状態においては、蓋部１７の鉤状切線７１と折込板３６及び折込板３７の突条片３８が係合することによっても包装用容器１１の閉封状態が維持される。更に、閉封状態においては、折込板３６及び折込板３７の突条片３８と補助板１８の第４切線７７とが係合することによっても包装用容器１１の閉封状態が維持される。
【００３８】
包装用容器１１から収容物を取り出す場合には、蓋部１７の係止片２３と補助板１８の被係止部５５との係合を解除して収容物を取り出してもよいが、本実施形態では、蓋部１７に第１破断線９１が形成されているため、蓋部１７の係止片２３と補助板１８の被係止部５５との係合を解除することなく、蓋部１７を引き上げることで、第１破断線９１が破断し、閉塞板２１と差込板２２が切り離されて閉塞板２１を開放することができ、収容物を取り出すことができる。また、容器本体１４の側部に形成した第２破断線９２を引くことで容器本体１４内部を開放して収容物を取り出すこともできる。
【００３９】
以上説明した本実施形態に係る包装用容器１１によれば、包装用容器１１は、蓋部１７を閉封状態から開封状態に回動方向させる方向に向けて切り起こされた係止片２３と、閉封状態において係止片２３と係合する被係止部５５と、を備える。このため、蓋部１７を閉封状態から開封状態に回動させる場合に、係止片２３が被係止部５５から外れにくく、強固に閉封状態を維持することができる。
【００４０】
包装用容器１１の被係止部５５が設けられる補助板１８は、閉封状態において容器本体１４に対して起立させた状態とする補助背面板５１を備える。このため、包装用容器１１に収容した商品を展示等する場合、補助板１８を用いて吊り下げた状態で展示等を行うことができる。また、補助板１８は、閉封状態において容器本体１４の内面に重ねられる端板５３を備える。このため、補助板１８が容器本体１４に対して起立した状態を保つことができ、補助板１８が折れ曲がりにくくなる。
【００４１】
包装用容器１１の被係止部５５は、閉封状態において蓋部１７の係止片２３に対応する位置に、容器本体１４の底部１６側へ突出する第２切線７５によって形成される。このため、蓋部１７の係止片２３に被さるように係合し、係合が解除されにくい。
【００４２】
包装用容器１１の折込板３６及び折込板３７は突条片３８を有し、蓋部１７は鉤状切線７１を有し、閉封状態において突状片３８と鉤状切線７１とが嵌合する。このため、より強固に閉封状態を維持することができる。
【００４３】
包装用容器１１の折込板３６及び折込板３７は突条片３８を有し、補助板１８は、第４切線７７を有する。閉封状態において、突状片３８と第４切線７７とが嵌合する。このため、より強固に閉封状態を維持することができる。
【００４４】
包装用容器１１の第１破断線９１は、係止片２３から鉤状切線７１の終点まで形成されている。このため、係止片２３と被係止部５５との係合を解除して開封しようとすれば、第１破断線９１が破断し、差込板２２が閉塞板２１から切り離されて再封は不可能となる。
【００４５】
包装用容器１１の第２破断線９２は、第１破断線９１とは異なる位置に開口用として形成されている。このため、商品の購入者等は、係止片２３と被係止部５５の係合を解除したり、第１破断線９１を破断しなくても、開口用の第２破断線９２を破断することにより、容易に包装用容器１１を開封することができる。また、第２破断線９２が破断された後は、開口された事実は明確となる。
【００４６】
以上、本考案の実施の形態について説明したが、本考案は上記実施の形態に限定されるものではなく、更に様々な変更が可能である。
【００４７】
本実施形態では、補助板１８に端板５３を設けたが、図４に示すように、補助背面板５１及び補助前面板５２のみとしてもよい。この場合、閉封状態において補助背面板５１は容器本体１４に対して起立させた状態とし、補助前面板５２は補助背面板５１と重ねられるようにする。また、図５に示すように、補助板１８を補助前面板５２のみとし、補助板１８を容器本体１４に対して起立させず、閉封状態において補助前面板５２を容器本体１４の内面に重ねられるようにしてもよい。この場合、被係止部５５が包装用容器１１の外部に露出せず、外観体裁が良好である。更に、補助板１８を設けずに、被係止部５５を容器本体１４に形成してもよい。
【００４８】
被係止部５５は、図６、図７に示すように、閉封状態において係止片２３に対応する位置に、容器本体１４の底部１６側の自由端に至る第３切線７６によって形成されるようにしてもよい。また、被係止部５５は、図４に示すように、補助板１８から容器本体１４の底部１６側に突出して設けられるようにしてもよい。
【００４９】
また、本実施例では、包装用容器１１の閉封状態を維持するため、折込板３６及び折込板３７の突条片３８、蓋部１７の鉤状切線７１、及び補助板１８の第４切線７７を設けたが、全てを設ける必要はなく適宜選択して形成するようにしてもよい。
【００５０】
また、本実施例では、係止片２３の両端から各鉤状切線７１の終点まで差込板折目線６８上に第１破断線９１を形成したが、図８に示すように、第１破断線９１を係止片２３の両端近傍から閉塞板２１上に形成してもよい。この場合、係止片２３と被係止部５５の係合を解除して開封状態にしようとすれば、第１破断線９１が破断して閉塞板２１が破れるため、開口された事実が明確になる。
【符号の説明】
【００５１】
１１    包装用容器
１３    展開形成体
１４    容器本体
１５    開口部
１６    底部
１７    蓋部
１８    補助板
２１    閉塞板
２２    差込板
２３    係止片
３６    折込板
３７    折込板
３８    突条片
５１    補助背面板
５２    補助前面板
５３    端板
５５    被係止部
６８    差込板折目線
６９    第１切線
７１    鉤状切線
７５    第２切線
７６    第３切線
７７    第４切線
９１    第１破断線
９２    第２破断線
【図１】
0003182100.tif 000003
【図２】
0003182100.tif 000004
【図３】
0003182100.tif 000005
【図４】
0003182100.tif 000006
【図５】
0003182100.tif 000007
【図６】
0003182100.tif 000008
【図７】
0003182100.tif 000009
【図８】
0003182100.tif 000010